(57)【要約】【課題】室内の複数のスピーカの配置及び配線をそのままで、複数方向に対応するリスニングポジションを実現するサラウンドシステムを提供すること。【解決手段】ソース入力から供給される音声信号に音響補正を施し複数のチャンネル信号ＦＬ，ＦＲ，ＲＬ，ＲＲ，ＣＥＮＴ，ＳＷを生成する音響補正手段１０と、音響補正手段１０の出力信号ＦＬ，ＦＲ，ＲＬ，ＲＲ，ＣＥＮＴ，ＳＷを増幅する増幅手段３０とを備え、増幅手段３０の前段に、複数のチャンネル信号ＦＬ，ＦＲ，ＲＬ，ＲＲ，ＣＥＮＴ，ＳＷを切替出力する信号切替手段２０を設けた。【選択図】図２
2006311070.tif 000002
【特許請求の範囲】
【請求項１】
ソース入力から供給される音声信号に音響補正を施し複数のチャンネル信号を生成する音響補正手段と、該音響補正手段の出力信号を増幅する増幅手段とを備えたサラウンドシステムであって、
前記増幅手段の前段に、前記複数のチャンネル信号を切替出力する信号切替手段を設けたことを特徴とするサラウンドシステム。
【請求項２】
音響補正手段と信号切替手段とを同一のＤＳＰで構成したことを特徴とする請求項１記載のサラウンドシステム。
【発明の詳細な説明】
【技術分野】
【０００１】
本発明は、音響補正を施す音響補正手段を備えたサラウンドシステムに関し、特に室内の複数のスピーカの配置をそのままで、複数方向に対応するリスニングポジションを実現するサラウンドシステムに関する。
【背景技術】
【０００２】
一般にサラウンドシステムは、オーディオ装置と、ビデオ装置と、複数のスピーカと、種々のスクリーン又はテレビモニタ等を備える。
【０００３】
従来のオーディオ装置の一例として、特許文献１に開示されており、このブロック図を図４に示す。
【０００４】
図４に示す装置は、所定の操作指令に応じて光信号を放射するリモコン１と、本体装置８０に設けられ、光信号に含まれる音響補正に係る個々のスピーカ毎の設定データをＤＳＰ２に転送するＣＰＵ８２と、を備えている（特許文献１参照）。
【０００５】
これは、リモコン１からの光信号を受信すると、本体装置８０のＣＰＵ８２がＤＳＰ２への所定のリスニングポジションの設定データを転送し、個々のスピーカ毎のデータが設定されるようにされている。
【特許文献１】特開平６−３３５１００号公報
【発明の開示】
【発明が解決しようとする課題】
【０００６】
ところで、サラウンドシステムを設置する室内によっては、設置されるすべてのテレビ、スクリーン等を同一方向に設置できないという制約がある。
【０００７】
かかる制約のもと、従来のサラウンドシステムを導入すると、室内の所定のスピーカ配置と、視聴者の希望するスピーカの配置とが異なるので、不自然な音像定位となり、視聴者が不快な思いをするという問題があった。
【０００８】
一度設置したスピーカの配置を変更することは煩雑であり、また室内の複数のスピーカの配線を変更することは煩雑である。
【０００９】
そこで、本発明は以上のような問題点に鑑みてなされたものであり、その目的は、室内の複数のスピーカの配置及び配線をそのままで、複数方向に対応するリスニングポジションを実現するサラウンドシステムを提供することを目的とする。
【課題を解決するための手段】
【００１０】
請求項１に係るサラウンドシステムは、ソース入力から供給される音声信号に音響補正を施し複数のチャンネル信号を生成する音響補正手段と、該音響補正手段の出力信号を増幅する増幅手段とを備えたサラウンドシステムであって、前記増幅手段の前段に、前記複数のチャンネル信号を切替出力する信号切替手段を設けたところに特徴を有する。
【００１１】
請求項２に係るサラウンドシステムは、請求項１記載のサラウンドシステムにおいて、音響補正手段と信号切替手段とを同一のＤＳＰで構成したところに特徴を有する。
【００１２】
これらは、信号切替手段を増幅手段の前段に設けたことにより、音響補正手段が複数の出力信号を生成し、これを信号切替手段が増幅手段へ切替出力し、増幅手段が増幅後の音声を複数のスピーカに供給して、複数方向に対応するリスニングポジションの実現を図るものである。
【００１３】
ここで、音響補正手段は、ソース入力から供給される音声信号に音響補正を施し、ソース入力から複数のリスニングポジションに係る音声信号を生成するものである。例えばＤＳＰを挙げることができる。
【００１４】
また、信号切替手段は、音響補正手段の複数の音声信号の出力先を切り替えるマトリクスを構成するものである。これは、例えば各種スイッチで構成できる。この各種スイッチは、例えばマトリクス状の交点にスイッチを有する回路と略等価な半導体スイッチ、リレースイッチ、ＤＳＰ等が挙げられる。
【００１５】
信号切替手段をＤＳＰで構成した場合には、音響補正手段と信号切替手段を１つのＤＳＰで構成することもできる。
【発明の効果】
【００１６】
請求項１の発明に係るサラウンドシステムによれば、ソース入力から供給される音声信号に音響補正を施し複数のチャンネル信号を生成する音響補正手段と、該音響補正手段の出力信号を増幅する増幅手段とを備えたサラウンドシステムであって、前記増幅手段の前段に、前記複数のチャンネル信号を切替出力する信号切替手段を設けたので、前記複数の出力信号を各スピーカに切替出力することができ、室内の複数のスピーカの配置及び配線をそのままで、複数方向に対応するリスニングポジションを実現することができるという効果を奏する。
【００１７】
請求項２の発明に係るサラウンドシステムによれば、請求項１記載のサラウンドシステムの奏する効果に加えて、音響補正手段と信号切替手段とを同一のＤＳＰで構成したので、ハードウエア回路を構成した場合よりも基板面積をとらず、部品点数を低減することができるという効果を奏する。
【発明を実施するための最良の形態】
【００１８】
以下に本発明を実施するための最良の形態を図面を用いて説明するが、本発明の趣旨を越えない限り何ら以下の例に限定されるものではない。図１〜図３に、ホテルの室内に用いたサラウンドシステムを例に、実施例を示す。
（実施例１）
図１は本発明のサラウンドシステムの一実施例を示す全体配置図である。図２はサラウンドシステムの主要部の制御系統を概念的に示す図である。
【００１９】
図１に示すように、ホテルの室内１０１に、テレビ１と、プロジェクタスクリーン２と、複数のスピーカ４１〜４７等とを設置し、これらとともにサラウンドシステム１００を構成してある。
【００２０】
サラウンドシステム１００は、例えばホテルなどの不特定のユーザが利用する室内で、映画館で体験するのと同じような臨場感あふれる音場空間を個室で再現するのに用いられる。
【００２１】
その構成は、図２に示すように、少なくとも、音響補正手段１０と、信号切替手段２０と、増幅手段３０と、制御手段５０と、リモコン６０とを備えている。なお、図示しないが、このほかにビデオ信号の処理関係の処理を含んでいる。これにより、リモコン６０の操作中のリスニングポジションの設定画面がテレビ１又はプロジェクタスクリーン２に表示されるようにしてある。
【００２２】
音響補正手段１０は、ソース入力された信号に音響補正を施すものであり、公知の技術であるいわゆるＤＳＰ：デジタル・サウンド・プロセッサ（digital signal processor）を有する。ＤＳＰには、制御手段５０を制御信号を介して接続してある。
【００２３】
また、音響補正手段１０は、制御手段５０の制御のもと、ソース入力からマルチチャンネルサラウンドサウンド（以下、単に「サウンド」という。）ＦＬ，ＦＲ，ＲＬ，ＲＲ，ＣＥＮＴ，ＳＷを生成するようにしてある。また、同様にして、サウンドのイコライジング調整も可能としてある。
【００２４】
ソースとしては、インターネット、ＤＶＤ、ＬＤ、ケーブルＴＶ等からの任意の信号が挙げられる。これらの信号は、音響補正手段１０の前段でいずれかの信号に選択され、音響補正手段１０へ入力される。
【００２５】
音響補正手段１０のＤＳＰ周辺回路には、図示しない電子ボリューム調整回路及びトーンコントロール回路を有し、これらにも制御信号を介して制御手段５０が接続されている。
【００２６】
ソース入力がされると、制御手段５０の制御のもと、ＤＳＰでサウンドＦＬ，ＦＲ，ＲＬ，ＲＲ，ＣＥＮＴ，ＳＷが生成され、これらの５．１ｃｈ信号が、所定のボリューム、トーンに調整され、信号切替手段２０に出力される。
【００２７】
信号切替手段２０は、行要素と列要素とをするマトリクス状に配線構成されたマトリクス制御回路であり、公知の技術である複数の半導体スイッチを有する。
【００２８】
その各半導体スイッチには、サウンドＦＬ，ＦＲ，ＦＲ，ＲＲ，ＣＥＮＴ，ＳＷの各信号と、増幅手段３０に接続の各信号と、制御線としての制御部５０からの制御信号とが接続されている。
【００２９】
音響補正手段１０の出力が信号切替手段２０へ入力されると、信号切替手段２０は、制御手段５０の制御のもと、スイッチングを行い、増幅前のサウンドＦＬ，ＦＲ，ＦＲ，ＲＲ，ＣＥＮＴ，ＳＷの出力先を切替え、増幅手段３０へ出力する。この結果、複数のスピーカを配線そのままで切り替える。
【００３０】
増幅手段３０は、公知の複数のアンプＩＣを含む回路であり、サラウンドの各信号線毎に設けてある。増幅手段３０は、サウンドＦＬ，ＦＲ，ＦＲ，ＲＲ，ＣＥＮＴ，ＳＷを各信号毎に増幅し、この増幅後の信号を後段の端子を介して各スピーカに出力する。
【００３１】
他方、室内１０１には、略中央にベッド４が配置され、ベッド４の頭部側が室内１０１の一の壁側に配置され脚側が中央を向くようにしてある。その頭側から脚側への方向延長線上の室内１０１の他の壁側にプロジェクタスクリーン２が配置されている。
【００３２】
ベッド４からプロジェクタスクリーン２をみた場合の左手側の壁付近にはソファー３が配置され、ベッド４を挟んで反対側（右手）の壁付近にはテレビ１が配置され、ベッド４からプロジェクタスクリーン２をみた場合の方向線とソファーからテレビをみた場合の方向線が直行する配置としてある。
【００３３】
複数のスピーカ４１〜４７は、幅広くフラットな特性を持つ公知のスピーカである。これらの配置は、ソファー３からテレビ１をみる方向線上に対して、スピーカ４１，４２はテレビ１を挟んで両側に設けられている。ここではスピーカ４１，４２はフロントスピーカとして機能している。
【００３４】
スピーカ４３，４４はソファー３を挟んで両側に設けられている。ここではリアースピーカとして機能している。スピーカ４５はテレビの後方に設けられ、センタースピーカとして機能している。
【００３５】
また、スピーカ４６は、プロジェクタスクリーン２の近傍に設けられ、この設定では音声を出力しない動作ＯＦＦ状態である。スピーカ４７はベッド４の近傍に設けられており、スーパーウーハーとして機能している。
【００３６】
サラウンドシステム１００の制御構成は、図２に示すように、音響補正手段１０及び信号切替手段２０に制御信号を介して制御手段５０を電気的に接続し、制御手段５０による制御ができるように構成してある。
【００３７】
制御手段５０は、公知の中央演算処理装置（ＣＰＵ）を含む回路構成としてあり、コンピュータプログラムを実行することにより、複数の方向に対応するリスニングポジションの設定、変更、各スピーカへの信号切替、ボリューム調整、トーン調整、イコライジング調整等を行う。
【００３８】
制御手段５０には、室内１０１の複数箇所に設けた複数のリモコン受光部５１，５２（図２参照）を接続してある。これにより、ユーザＵがリモコン６０を操作する際、複数方向への送信を受信できるようにしてある。
【００３９】
リモコン６０は、公知のリモコン装置であって、所定の操作指令に応じて光信号を放射するものである。複数の方向へのリスニングポジションの設定、イコライジング調整等の操作のための釦等を備える。
【００４０】
次に、サラウンドシステム１００を用いた使用方法について、図３を参照して説明する。図３は、図１に示す室内１０１の複数のスピーカ４１〜４７の配置及び配線をそのままで、制御部５０の制御により複数方向に対応するリスニングポジションを実現した状態を示す図である。
【００４１】
リスニングポジション変更の制御方法は、ユーザＵがリモコン６０を操作することによって、テレビ１とプロジェクタスクリーン２の選択が行われて切り替わり、これに同期してスピーカの切替が行われる。また、個々のスピーカ毎の自動設定及び個別設定も行われる。
【００４２】
その制御方法は、まず、リモコン６０の操作に応じて光信号が放射されると、制御手段５０は、かかる光信号をリモコン受光部５２を介して受信する。
【００４３】
制御手段５０は、光信号に含まれる音響補正に係る設定データを認識し、これに対応する制御信号を音響補正手段１０及び信号切替手段２０等へ送出する。
【００４４】
制御信号を受信した音響補正手段１０は、制御信号に対応するサウンドＦＬ，ＦＲ，ＲＬ，ＲＲ，ＣＥＮＴ，ＳＷを生成するとともに、前記諸回路により所定のボリューム、トーンに調整し、信号切替手段２０に出力する。
【００４５】
制御信号を受信した信号切替手段２０は、その制御信号に基いて、以下のスイッチング処理を同期して行う。
【００４６】
すなわち、サラウンドＦＬ，ＦＲ，ＲＬ，ＲＲ，ＣＥＮＴ，ＳＷのうち、フロント左信号ＦＬを、スピーカ４１からスピーカ４３へ切り替える。フロント右信号ＦＲを、スピーカ４２からスピーカ４１へ切り替える。
【００４７】
リアー左信号ＲＬを、スピーカ４３からスピーカ４４へ切り替える。リアー右信号ＲＲを、スピーカ４４からスピーカ４２へ切り替える。センター信号ＣＥＮＴを、スピーカ４５からスピーカ４６へ切り替える。
【００４８】
なお、スーパーウーハー信号ＳＷは、スピーカ４７のまま切替をしない。また、この場合には、スピーカ４５は、動作しないＯＦＦ状態となる。
【００４９】
以上説明したサラウンドシステム１００によれば、音響補正手段１０と、増幅手段３０とを備え、増幅手段３０の前段に、信号切替手段２０を設けたので、増幅前のサウンドＦＬ，ＦＲ，ＲＬ，ＲＲ，ＣＥＮＴ，ＳＷを増幅手段３０へ切替出力でき、その結果スピーカ４１〜４７への出力信号を切替出力することができるので、室内１０１の複数のスピーカ４１〜４７の配置及び配線をそのままで、複数方向に対応するリスニングポジションを実現することができる。
【００５０】
また、増幅前の出力信号を各スピーカ４１〜４７に切替出力することができるので、増幅手段３０で増幅した各音声信号を切替出力するスイッチ等の第２の切替手段を設けなくてよく、部品点数を削減することができる。
【００５１】
さらに、複数のスピーカ４１〜４７の配置が予め想定されているシステムを用い、現存する複数のスピーカ４１〜４７を有効活用することができる。制御手段５０が信号切替手段２０を制御することにより、音響補正の設定の煩雑さを解消することができる。
【００５２】
また、ユーザＵはリモコン６０の操作により、スピーカ切替のほか、音声信号等の全体的な周波数特性を加工又は調節することもでき、部屋又はスピーカの特性の補正、効果音又はボーカルの高域強調等に利用することができる。
（実施例２）
次に、本発明の実施の一形態にかかるサラウンドシステムの他の実施例について説明する。なお、図１〜図３のサラウンドシステムにおける構成要素と同一の構成要素には同一の符号を付して、その説明を省略する。
【００５３】
このサラウンドシステム１００は、音響補正手段１０と信号切替手段２０とを同一のＤＳＰで構成したものである。すなわち、ＤＳＰに、信号切替手段２０の機能を取り込んだものである。
【００５４】
これによれば、音響補正手段１０と信号切替手段２０とを同一のＤＳＰで構成したので、ハードウエア回路を構成した場合よりも基板面積をとらず、部品点数を低減することができ、システムの省スペース化を図ることができる。
【００５５】
以上、本発明のサラウンドシステム１００についての最良の形態を、実施例に基いて説明したが、本発明は上記実施例に記載した構成に限定されるものではなく、その趣旨を逸脱しない範囲において適宜その構成を変更することができる。
【００５６】
例えば、サラウンドシステムは、映画館で体験するのと同じような臨場感あふれる音場空間を再現するのに用いられるものであれば良く、実施例で説明した５．１ｃｈ信号のサウンド以外にも、例えば６．１ｃｈでも良く、７．１ｃｈでもその他の複数のスピーカに対応することができることはいうまでもない。
【００５７】
また、上記実施例においては、２方向のリスニングポジションの変更の場合について説明したが、何らこれに限定されるものではなく、同様にして、他の複数の方向に対応するリスニングポジションを実現できる。
【００５８】
また、リモコン６０の変形例として、操作スイッチ等を用いた構成であっても良い。
【産業上の利用可能性】
【００５９】
本発明のサラウンドシステムは、ホテルなど、不特定のユーザが利用する室内で、映画館で体験するのと同じような臨場感あふれる音場空間を再現することが要請されるあらゆる産業分野に用いることができる。
【図面の簡単な説明】
【００６０】
【図１】本発明のサラウンドシステムの一実施例を示す全体配置図である。
【図２】サラウンドシステムの主要部の制御系統を概念的に示す図である。
【図３】リスニングポジションを変更した状態を示す図である。
【図４】従来のオーディオ装置を示すブロック図である。
【符号の説明】
【００６１】
１０    音響補正手段
２０    信号切替手段
３０    増幅手段
５０    制御手段
６０    リモコン
１００  オーディオ装置
【図１】
2006311070.tif 000003
【図２】
2006311070.tif 000004
【図３】
2006311070.tif 000005
【図４】
2006311070.tif 000006